(57)【要約】【課題】電力線を必要とせずに動作することを可能とする記憶装置を提供する。【解決手段】記憶装置２０は、通信線３０を介して外部装置１０とデータの通信を行う通信回路２０Ａと、通信線３０を介して外部装置１０から電力の供給を受ける電源部２５とを有する。電源部２５は、外部装置１０からの電力が所定電力以上である場合に、外部装置１０からの電力を通信回路２０Ａに供給する。【選択図】図２
2010039544.tif 000002
【特許請求の範囲】
【請求項１】
外部装置に通信線を介して接続された記憶装置であって、
前記通信線を介して前記外部装置とデータの通信を行う通信部と、
前記通信線を介して前記外部装置から電力の供給を受ける電源部とを有しており、
前記電源部は、前記外部装置からの電力が所定電力以上である場合に、前記外部装置からの電力を前記通信部に供給することを特徴とする記憶装置。
【請求項２】
前記電源部を制御する受電制御部をさらに備え、
前記受電制御部は、
前記外部装置によって前記通信線に印加された第１電圧を検出した場合に、前記通信線に電流を流し、
前記通信線に流した電流に応じて前記外部装置によって前記通信線に印加された第２電圧が所定電圧以上である場合に、前記外部装置からの電力が所定電力以上であると判定し、
前記第２電圧が前記所定電圧以上である場合に、前記外部装置からの電力を前記通信部に供給するように前記電源部に指示することを特徴とする請求項１に記載の記憶装置。
【発明の詳細な説明】
【技術分野】
【０００１】
本発明は、通信線を介してネットワークに接続され、この通信線に重畳された電源を用いて駆動されるネットワーク接続型記憶装置に関する。
【背景技術】
【０００２】
従来、集線装置（例えば、ハブやルータ）などの外部装置に通信線を介して接続された記憶装置が知られている（例えば、特許文献１）。具体的には、このような記憶装置として、ネットワーク接続型記憶装置（ＮＡＳ：Ｎｅｔｗｏｒｋ  Ａｔｔａｃｈｅｄ  Ｓｔｏｒａｇｅ）を例に挙げて、図４を参照しながら説明する。
【０００３】
図４に示すように、ネットワーク接続型記憶装置２００は、通信回路２００Ａと、電源回路２００Ｂとを含む。電源回路２００Ｂは、通信回路２００Ａに電力を供給し、通信回路２００Ａは、電源回路２００Ｂからの電力によって動作する。
【０００４】
具体的には、通信回路２００Ａは、通信部２１０と、ネットワークＩ／Ｆ２２０と、記憶部２３０とを有する。電源回路２００Ｂは、電源部２５０を有する。
【０００５】
通信部２１０は、ネットワークＩ／Ｆ２２０を介して記憶部２３０に記憶されたデータを受信する。通信部２１０は、記憶部２３０に記憶されたデータを通信線３００上に送信する。通信部２１０は、通信線３００を介して外部装置からデータを受信する。通信部２１０は、ネットワークＩ／Ｆ２２０を介して記憶部２３０にデータ送信する。
【０００６】
電源部２５０は、電力線４００を介してＡＣ電力を取得する。電源部２５０は、ＡＣ電源からのＡＣ電力を用いて、通信回路２００Ａを動作させるための電力を通信回路２００Ａに供給する。
【特許文献１】米国特許６，９０９，９４３
【発明の開示】
【発明が解決しようとする課題】
【０００７】
ところで、上述した記憶装置には、データの通信に用いる通信線に加えて、ＡＣ電力を取得するための電力線が接続される。従って、通信線及び電力線の配線が煩雑であり、記憶装置の設置場所も限られてしまう。
【０００８】
そこで、本発明は、上述した課題を解決するためになされたものであり、電力線を必要とせずに動作することを可能とする記憶装置を提供することを目的とする。
【課題を解決するための手段】
【０００９】
第１の特徴に係る記憶装置は、外部装置に通信線を介して接続される。記憶装置は、前記通信線を介して前記外部装置とデータの通信を行う通信部と、前記通信線を介して前記外部装置から電力の供給を受ける電源部とを有する。前記電源部は、前記外部装置からの電力が所定電力以上である場合に、前記外部装置からの電力を前記通信部に供給する。
【００１０】
かかる特徴によれば、電源部は、外部装置から通信線を介して供給される電力を通信部に供給する。従って、電力線が不要となり、配線の煩雑さが軽減される。また、記憶装置の設置場所の自由度が増大する。
【００１１】
第１の特徴において、記憶装置は、前記電源部を制御する受電制御部をさらに備える。前記受電制御部は、前記外部装置によって前記通信線に印加された第１電圧を検出した場合に、前記通信線に電流を流す。前記通信線に流した電流に応じて前記外部装置によって前記通信線に印加された第２電圧が所定電圧以上である場合に、前記外部装置からの電力が所定電力以上であると判定する。前記第２電圧が前記所定電圧以上である場合に、前記外部装置からの電力を前記通信部に供給するように前記電源部に指示する。
【発明の効果】
【００１２】
本発明によれば、電力線を必要とせずに動作することを可能とする記憶装置を提供することができる。
【発明を実施するための最良の形態】
【００１３】
以下において、本発明の実施形態に係るネットワーク接続型記憶装置について、図面を参照しながら説明する。なお、以下の図面の記載において、同一又は類似の部分には、同一又は類似の符号を付している。
【００１４】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００１５】
［実施形態］
（ＰｏＥシステムの構成）
以下において、実施形態に係るＰｏＥシステムについて説明する。図１は、実施形態に係るＰｏＥシステム１００を示す図である。
【００１６】
図１に示すように、ＰｏＥシステム１００は、外部装置１０と、記憶装置２０とを有する。記憶装置２０は、通信線３０を介して外部装置１０と接続される。実施形態では、外部装置１０及び記憶装置２０は、ＩＥＥＥ８０２．３−２００５（ＩＥＥＥ８０２．３ａｆ）で規定されたＰｏＥ（Ｐｏｗｅｒ  Ｏｖｅｒ  Ｅｔｈｅｒｎｅｔ（登録商標））機能を有する。すなわち、外部装置１０は、ＰｏＥ機能を有する給電装置（ＰＳＥ；Ｐｏｗｅｒ  Ｓｏｕｒｃｉｎｇ  Ｅｑｕｉｐｍｅｎｔ）として機能する。記憶装置２０は、ＰｏＥ機能を有する受電装置（ＰＤ；Ｐｏｗｅｒｅｄ  Ｄｅｖｉｃｅ）として機能する。
【００１７】
外部装置１０は、ＬＡＮやＷＡＮなどのネットワークに接続されるハブやルータなどの集線装置である。外部装置１０は、集線装置と受電装置との間に設けられる中継装置であってもよい。ここでは、外部装置１０が集線装置であるケースを例示する。
【００１８】
上述したように、外部装置１０は、ＰｏＥ機能を有する給電装置（ＰＳＥ；Ｐｏｗｅｒ  Ｓｏｕｒｃｉｎｇ  Ｅｑｕｉｐｍｅｎｔ）として機能する。具体的には、外部装置１０は、検出機能、クラス設定機能、電力供給機能などを有する。
【００１９】
検出機能は、通信線３０に受電装置（記憶装置２０）が接続されているか否かを検出する機能である。クラス設定機能は、受電装置（記憶装置２０）の消費電力に応じて、記憶装置２０に供給すべき電力を分類する機能である。電力供給機能は、クラス設定機能によって分類された電力を受電装置（記憶装置２０）に供給する機能である。
【００２０】
外部装置１０は、ネットワークから受信するデータを、通信線３０を介して記憶装置２０に送信する。外部装置１０は、記憶装置２０から通信線３０を介して受信するデータをネットワーク上に送信する。
【００２１】
記憶装置２０は、ＰＣなどとネットワークを介して接続されるＮＡＳ（Ｎｅｔｗｏｒｋ  Ａｔｔａｃｈｅｄ  Ｓｔｏｒａｇｅ）などである。上述したように、記憶装置２０は、ＰｏＥ機能を有する受電装置（ＰＤ；Ｐｏｗｅｒｅｄ  Ｄｅｖｉｃｅ）として機能する。記憶装置２０の詳細については後述する（図２を参照）
通信線３０は、外部装置１０と記憶装置２０との間でデータの通信を行うためのケーブルなどである。通信線３０は、外部装置１０から記憶装置２０へ供給される電力を流す電力線としても機能する。
【００２２】
（記憶装置の構成）
以下において、実施形態に係る記憶装置２０の構成について、図面を参照しながら説明する。図２は、実施形態に係る記憶装置２０を示すブロック図である。
【００２３】
図２に示すように、ネットワーク接続型記憶装置２０は、通信回路２０Ａと、電源回路２０Ｂとを含む。通信回路２０Ａは、通信部２１と、ネットワークＩ／Ｆ２２と、記憶部２３とを有する。電源回路２０Ｂは、受電制御部２４と、電源部２５とを有する。
【００２４】
通信部２１は、通信線３０を介して外部装置１０からデータを受信する。通信部２１は、外部装置１０から受信したデータを、ネットワークＩ／Ｆ２２を介して記憶部２３に送信する。
【００２５】
通信部２１は、ネットワークＩ／Ｆ２２を介して記憶部２３からデータを受信する。通信部２１は、記憶部２３から受信したデータを、通信線３０を介して外部装置１０に送信する。
【００２６】
ネットワークＩ／Ｆ２２は、通信部２１から受信したデータを記憶部２３に送信する。ネットワークＩ／Ｆ２２は、記憶部２３から受信したデータを通信部２１に送信する。
【００２７】
記憶部２３は、各種データを記憶するＨＤＤなどの記憶媒体である。記憶部２３は、例えば、通信部２１からネットワークＩ／Ｆ２２を介して受信したデータを記憶する。なお、記憶部２３に記憶されたデータは、ネットワークＩ／Ｆ２２を介して通信部２１から送信される。
【００２８】
受電制御部２４は、外部装置１０からの電力が所定電力以上であるか否かを判定する。受電制御部２４は、外部装置１０からの電力が所定電力以上である場合に、通信回路２０Ａに電力を供給するように電源部２５に指示する。なお、所定電力は、通信回路２０Ａを起動させるために十分な電力である。
【００２９】
具体的には、受電制御部２４は、抵抗器ＲＳ（例えば、２５ＫΩ）を有する。なお、抵抗器ＲＳは、受電制御部２４内の回路に接続されており、通信線３０が記憶装置２０に接続された場合に、電圧が抵抗器ＲＳに印加される。
【００３０】
例えば、受電制御部２４は、外部装置１０によって通信線３０に印加された第１電圧（微弱電圧）を検出する。受電制御部２４は、第１電圧（微弱電圧）を検出した場合に、通信線３０に電流（微弱電流）を流すために抵抗器ＲＳを通信線３０に接続する。
【００３１】
続いて、受電制御部２４は、通信線３０に流した電流（微弱電流）に応じて、外部装置２０によって通信線３０に印加された第２電圧（＞第１電圧）を検出する。受電制御部２４は、第２電圧が所定電圧以上である場合に、外部装置１０からの電力が所定電力以上であると判定する。受電制御部２４は、第２電圧が所定電圧以上である場合に、外部装置１０からの電力を通信回路２０に供給するように指示する起動命令を電源部２５に送信する。なお、所定電圧は、通信回路２０Ａを起動させるために十分な電圧である。
【００３２】
電源部２５は、通信線３０を介して外部装置１０から電力の供給を受ける。電源部２５は、通信線３０を介して外部装置１０から供給される電力を通信回路２０Ａに供給する。具体的には、電源部２５は、受電制御部２４から受信する起動命令に応じて、外部装置１０から供給される電力を通信回路２０Ａに供給する。
【００３３】
（ＰｏＥシステムの動作）
以下において、実施形態に係るＰｏＥシステムの動作について、図面を参照しながら説明する。図３は、実施形態に係るＰｏＥシステム１００の動作を示すシーケンス図である。
【００３４】
図３に示すように、ステップＳ１１０において、外部装置１０は、通信線３０に第１電圧（微弱電圧）を印加する。
【００３５】
ステップＳ１２０において、記憶装置２０は、抵抗器ＲＳを通信線３０に接続する。
【００３６】
ステップＳ１３０において、外部装置１０は、通信線３０に印加した電圧に応じて通信線３０に電流が流れたか否かを判定する。外部装置１０は、電流が流れていない場合には、通信線３０に電流が流れるまで待機する。外部装置１０は、電流が流れた場合には、ステップＳ１４０の処理に移る。
【００３７】
ステップＳ１４０において、外部装置１０は、通信線３０に印加する電圧を上げる。外部装置２０は、例えば、所定ステップ幅で電圧を順に上げる。
【００３８】
ステップＳ１５０において、記憶装置２０は、通信線３０を介して外部装置１０から供給される電力が所定電力以上であるか否かを判定する。記憶装置２０は、外部装置１０から供給される電力が所定電力未満である場合には、外部装置１０から供給される電力が所定電力以上となるまで待機する。記憶装置２０は、外部装置１０から供給される電力が所定電力以上である場合には、ステップＳ１６０の処理に移る。
【００３９】
ステップＳ１６０において、記憶装置２０は、外部装置１０から供給される電力を通信回路２０Ａに供給する。
【００４０】
（作用・効果）
実施形態では、電源部２５は、外部装置１０から通信線３０を介して供給される電力を通信回路２０Ａに供給する。従って、電力線が不要となり、配線の煩雑さが軽減される。また、記憶装置２０の設置場所の自由度が増大する。
【００４１】
[その他の実施形態]
本発明は上述した実施形態によって説明したが、この開示の一部をなす論述及び図面は、この発明を限定するもので有ると理解すべきでない。この開示から当業者には様々な代替実施形態、実施例及び運用技術が明らかとなろう。
【００４２】
上述した実施形態では特に触れていないが、外部装置１０は、上述したステップＳ１３０において、通信線３０に印加する電圧を変更して、抵抗器ＲＳの接続によって通信線３０に流れる電流を検出する。外部装置１０は、通信線３０に流れる電流によって、記憶装置２０の検出や記憶装置２０の消費電力の分類を行う。
【００４３】
例えば、外部装置１０は、２．８〜１０Ｖの範囲で２種の電圧（電位差＝１Ｖ）を通信線３０に印加する。外部装置１０は、通信線３０に流れる電流の傾きに応じて、記憶装置２０が有する抵抗器ＲＳの抵抗値を検出する。外部装置１０は、抵抗器ＲＳの抵抗値に基づいて、外部装置１０がＰｏＥ機能を有しているか否かを検出する。
【００４４】
また、外部装置１０は、１５．５〜２０．５Ｖの電圧を通信線３０に印加する。外部装置１０は、通信線３０に流れる電流の値に応じて、記憶装置２０の消費電力を分類する。
【００４５】
なお、ＩＥＥＥ８０２．３−２００５（ＩＥＥＥ８０２．３ａｆ）では、通信線３０に流れる電流の値に応じて、記憶装置２０の消費電力は、０〜４のクラスに分類される。
【００４６】
上述した実施形態では、ＩＥＥＥ８０２．３−２００５（ＩＥＥＥ８０２．３ａｆ）に沿って実施形態を説明したが、実施形態はこれに限定されるものではない。実施形態は、ＩＥＥＥ８０２．３ａｔに適用されてもよい。
【図面の簡単な説明】
【００４７】
【図１】本発明の実施形態に係るＰｏＥシステム１００の構成を示す図である。
【図２】本発明の実施形態に係る記憶装置２０を示すブロック図である。
【図３】本発明の実施形態に係る記憶装置２０における電力受給動作手順を示すフローチャートである。
【図４】従来技術に係るネットワーク接続型記憶装置の構成を示すブロック図である。
【符号の説明】
【００４８】
１０・・・集線装置、２０・・・記憶装置、２１・・・通信部、２２・・・ネットワークＩ／Ｆ、２３・・・記憶部、２４・・・受電制御部、２５・・・電源部、３０・・・通信線、２００・・・ネットワーク接続型記憶装置、２１０・・・通信部、２２０・・・ネットワークＩ／Ｆ、２３０・・・記憶部、２５０・・・電源部、３００・・・通信線、４００・・・電力線、ＲＳ・・・抵抗器
【図１】
2010039544.tif 000003
【図２】
2010039544.tif 000004
【図３】
2010039544.tif 000005
【図４】
2010039544.tif 000006